(57)【要約】【課題】設計機能を多元化したデンタルフロスピックを提供する。【解決手段】本考案の設計機能を多元化したデンタルフロスピック１は、順に相互に接続するデンタルフロス部１４、舌磨き部１２、掴持部１１及びピック部１３を含み、舌磨き部１２が舌上の汚物を清掃することができ、且つ舌磨き部に凹溝１２０を設置し、擦り取った汚物を収集し、清掃の効果を達成する。掴持部は、凸部１１０を設置し、凸部は波状の態様を呈し、使用者に掴持を安定させる。ピック部は、弧状態様を呈し、且つ尾端は、斜面に設置され、尖状の態様を呈し、清掃が容易でない歯の隙間の死角を清掃することに用い、また、ピック部は、柔軟材質であり、歯茎を傷つけず、快適性の効果を有する。従って、本考案は、多種機能のデンタルフロスピックを提供し、使用者の口腔衛生を改善し、口腔外観を美化する。【選択図】図１
0003170171.tif 000002
【実用新案登録請求の範囲】
【請求項１】
相互に接続するデンタルフロス部、舌磨き部、掴持部、及びピック部を含む本体を含み、
該舌磨き部に凹溝を設置することを特徴とする設計機能を多元化したデンタルフロスピック。
【請求項２】
前記掴持部に凸部を設置する請求項１に記載の設計機能を多元化したデンタルフロスピック。
【請求項３】
前記凸部は、波状の態様を呈する請求項２に記載の設計機能を多元化したデンタルフロスピック。
【請求項４】
前記凹溝が傾斜の態様を呈する請求項１に記載の設計機能を多元化したデンタルフロスピック。
【請求項５】
前記ピック部が柔軟材質である請求項１に記載の設計機能を多元化したデンタルフロスピック。
【請求項６】
前記ピック部の尾端は、尖状の態様を呈する請求項１に記載の設計機能を多元化したデンタルフロスピック。
【請求項７】
前記ピック部は、弧状の態様を呈する請求項１に記載の設計機能を多元化したデンタルフロスピック。
【請求項８】
前記ピック部の尾端は、傾斜カットされていることを特徴とする請求項１に記載の設計機能を多元化したデンタルフロスピック。
【考案の詳細な説明】
【技術分野】
【０００１】
本考案は、デンタルフロスピックに関し、特に、使用者の口腔衛生を改善し、且つ口腔外観を美化する設計機能を多元化したデンタルフロスピックに関する。
【背景技術】
【０００２】
日常生活水準の向上に伴い、口の健康及び潔白な歯を有する為、個人の口腔衛生観念及び習慣は、現在人々が重視し、注意する事項になっている。
【０００３】
最も基本の口腔の清潔保護方式は、勤労な歯磨きから始まり、食後の歯磨き週刊は、更に歯の健康を向上する効果を補助し、人々が歯の保険の観念に一定の標準を有した後、多くの人が歯の隙間を清潔にする方面の要求を有し、これにより、デンタルフロスピックは、人々の必需品となっている。
【０００４】
現在市場において、デンタルフロスピックの使用は、歯の隙間を効率的に清掃できるが、歯の隙間の死角及び口腔内の舌先部の汚れに対しは、効率的な清掃を行うことができていない。
【０００５】
これに鑑みて、本考案者は、長年関連分野の研究開発に従事した経験により前記の欠陥に対し深く検討し、前記要求に基づき、積極的に解決の道を追求し、長時間の努力研究及び多数回の試験を経て、ようやくこの考案を完成している。
【先行技術文献】
【特許文献】
【０００６】
【特許文献１】特開２００８−２８９８２９号公報
【考案の概要】
【考案が解決しようとする課題】
【０００７】
本考案の目的は、使用者の口腔衛生を効率的に改善し、且つ口腔外観を美化する設計機能を多元化したデンタルフロスピックを提供することにある。
【課題を解決するための手段】
【０００８】
上記の目的に基づき、本考案の前記の設計機能を多元化したデンタルフロスピックは、本体を含む。
【０００９】
該本体は、相互に接続するデンタルフロス部、舌磨き部、掴持部及びピック部を含む。
【００１０】
本考案の特徴は、該舌磨き部に凹溝を設置することにある。
【００１１】
前記掴持部は、凸部を設置し、該凸部は、波状の態様を呈する。該凹溝は、傾斜の態様を呈する。該ピック部は、柔軟材質であり、弧状の態様を呈し、且つ該ピック部は、斜面に設置されるものであり（マイター式と類似する等価設計）、尖状の態様を呈する。すなわち、該ピック部は、端部においてマイターカットあるいは傾斜カットされている。
【００１２】
本考案の実施時、使用者は、波状を呈し且つ滑りを防止した掴持部を持つことができ、舌磨き部を舌先上に安置し、舌磨き部に舌上で往復運動させ、且つ舌磨き部上の傾斜の態様を呈する凹溝を介し、擦り落とした汚物を収集し、舌上の汚物を洗浄する効果を達成する。
【００１３】
また、使用者は、掴持部を掴持し、ピック部を歯の隙間に入れ、歯の隙間内の食べ物の残りカスを清掃することに用い、且つ弧状態様設計であるピック部を利用し、清潔が困難な歯の隙間の死角を清掃することに用いることができ、更に、該ピック部の尾端は、斜面に設置されるものであり（マイター式と類似する等価設計）、且つ尖状の態様を呈し、清掃が容易でない歯の隙間の深い箇所を清掃することに用い、また、該ピック部は、柔軟な材質であり、歯茎を傷つけず、使用時に快適感を有する。
【００１４】
また、使用者は、掴持部を掴持し、デンタルフロス部のデンタルフロスを歯の隙間内で往復移動させ、歯の隙間の両側の食べ物の残りカスを清掃し、歯の隙間を清潔する効果を達成し、口腔衛生を向上する効果を具える。
【考案の効果】
【００１５】
従って、本考案は、使用者の口腔衛生を改善し、人に吐息をリフレッシュした感じを持たせる効果を具える。
【図面の簡単な説明】
【００１６】
【図１】本考案の立体説明図である。
【図２】本考案の俯瞰説明図である。
【図３】本考案の図２のＡ−Ａ断面側面説明図である。
【図４】本考案の図２のＢ−Ｂ断面側面説明図である。
【図５】本考案の図２のＣ−Ｃ断面側面説明図である。
【図６】本考案の図２の舌磨き部の実施説明図である。
【図７】本考案の図２のピック部の実施説明図である。
【図８】本考案の図２のフロス部の実施説明図である。
【考案を実施するための形態】
【００１７】
本考案の目的、効果、特徴及び構造についてより分かり易くする為、好適実施例を挙げ、図面に併せ、以下に説明する。
【００１８】
先ず、図１〜図５を参照する。図１は、本考案の立体説明図であり、図２は、本考案の俯瞰説明図であり、図３は、本考案の図２のＡ−Ａ断面側面説明図であり、図４は、本考案の図２のＢ−Ｂ断面側面説明図であり、図５は、本考案の図２のＣ−Ｃ断面側面説明図である。
【００１９】
図から分かるように、本考案の前記の設計機能を多元化したデンタルフロスピックは、以下を含む。
【００２０】
本体１は、相互に接続する相互に接続するデンタルフロス部１４、舌磨き部１２、掴持部１１及びピック部１３を含む。
【００２１】
該掴持部１１は、凸部１１０を設置し、該凸部１１０は、波状の態様を呈し、且つ該凸部１１０の目的は、使用者に滑らないように安定固定した掴持をさせ、掴持し易い効果を具える。該ピック部１３は、弧状態様を呈し、且つ該ピック１３の尾端は、斜面に設置されるものであり（マイター式と類似する等価設計）、尖状の態様を呈し、清潔が困難な歯の隙間の死角を清掃することに用いることができ、且つ使用時に歯の隙間の食べ物の残りカスを容易に除去することができ、また、該ピック部１３は、柔軟な材質であり、歯茎を傷つけず、快適性の効果を有する。
【００２２】
本考案の特徴は、該舌磨き部に傾斜態様を呈する凹溝１２０を設置することにあり、舌上の汚物を収集でき、擦った後の汚物を舌上に残留させず、汚物を清掃し、且つ口腔を清潔にする効果を達成する。
【００２３】
図６を参照し、図６は、本考案の舌磨き部の実施説明図である。
【００２４】
このことから分かるように、使用者は、掴持部１１を持ち、舌磨き部１２を舌上に安置し、且つ舌上で往復運動させ、舌上の汚物を清掃することができ、また、該舌磨き部１２が設置する傾斜態様を呈する凹溝１２０を利用し、毎回、擦り落とした汚物を収集し、舌上に残留させないようにすることに用いるものであり、洗浄後に繰り返し使用でき、汚物を清掃し、且つ口腔の衛生、清潔を保持する効果を達成する。
【００２５】
図７を参照し、図７は、本考案のピック部の実施説明図である。
【００２６】
図から分かるように、使用者は、掴持部１１を持ち、ピック部１３を歯の隙間中に入れ、歯の隙間内の食べ物の残りカスを清掃することに用い、清潔化の効果を達成し、且つ該ピック部１３は、弧状態様の設計であり、清掃が容易でない歯の隙間の死角を清掃することに用い、該ピック１３の尾端は、斜面に設置されるものであり（マイター式に類似する透過設計）、且つ尖状の態様を呈し、清掃が容易でない歯の隙間の深い箇所を清掃することに用い、また、該ピック１３は、柔軟材質であり、歯茎を傷つけず、使用時に快適性の効果を具え、使用者の口腔衛生を効率的に改善し、人に吐息を路フレッシュした感じを持たせる。
【００２７】
図８を参照し、図８は、本考案のデンタルフロス部の実施説明図である。
【００２８】
図から分かるように、使用者は、掴持部１１を持ち、デンタルフロス部１４のデンタルフロスを歯の隙間内で上下左右に往復移動させ、デンタルフロスを利用し、歯の隙間の食べ物の残りカスを削ぎ出し、歯の隙間を清掃する効果を達成し、口腔衛生を向上する効果を達成する。
【００２９】
前記のように、本考案は、以下の効果を有する：
1.本考案が記載する設計機能を多元化したデンタルフロスピックは、該掴持部に凸部を有し、該凸部は、波状の態様を呈し、且つ該凸部の目的は、使用者に滑らず安定した掴持をさせるものであり、掴持が容易な効果を有する。
2.本考案が記載する設計機能を多元化したデンタルフロスピックは、該舌磨き部が傾斜態様を呈する凹溝を設置し、舌上の汚物を収集することができ、擦り取った後の汚物を舌上に残留させず、汚物を清掃し、且つ口腔を清潔化する効果を達成する。
3.本考案が記載する設計機能を多元化したデンタルフロスピックは、該ピック部が弧状態様を呈する設計であり、清掃が容易でない歯の隙間の死角を清掃することに用い、該ピック部の尾端は、斜面に設置されるものであり（マイター式に類似する等価設計）、且つ尖状の態様を呈し、清掃が容易でない歯の隙間の深い箇所を清掃することに用いる。
4.本考案が記載する設計機能を多元化したデンタルフロスピックは、該ピック部は、柔軟座質であり、歯茎を傷つけず、使用時に快適性の効果を具え、使用者の口腔衛生を効率的に改善し、人に吐息をリフレッシュした感じを持たせる。
【００３０】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００３１】
１  本体
１１  掴持部
１１０  凸部
１２  舌磨き部
１２０  凹溝
１３  ピック部
１４  デンタルフロス部
【図１】
0003170171.tif 000003
【図２】
0003170171.tif 000004
【図３】
0003170171.tif 000005
【図４】
0003170171.tif 000006
【図５】
0003170171.tif 000007
【図６】
0003170171.tif 000008
【図７】
0003170171.tif 000009
【図８】
0003170171.tif 000010
【手続補正書】
【提出日】平成23年7月1日(2011.7.1)
【手続補正１】
【補正対象書類名】実用新案登録請求の範囲
【補正対象項目名】全文
【補正方法】変更
【補正の内容】
【実用新案登録請求の範囲】
【請求項１】
相互に接続するデンタルフロス部、舌磨き部、掴持部、及びピック部を含む本体を含み、
該掴持部の端部に前記ピック部が形成され、且つ、該掴持部の前記ピック部とは反対の端部にコの字状の前記前記舌磨き部が形成され、前記舌磨き部の開口部分に前記デンタルフロス部が設けられ、
該舌磨き部に凹溝を設置することを特徴とするデンタルフロスピック。
【請求項２】
前記掴持部に凸部を設置する請求項１に記載のデンタルフロスピック。
【請求項３】
前記凸部は、波状の態様を呈する請求項２に記載のデンタルフロスピック。
【請求項４】
前記凹溝が傾斜の態様を呈する請求項１に記載のデンタルフロスピック。
【請求項５】
前記ピック部が柔軟材質である請求項１に記載のデンタルフロスピック。
【請求項６】
前記ピック部の尾端は、尖状の態様を呈する請求項１に記載のデンタルフロスピック。
【請求項７】
前記ピック部は、弧状の態様を呈する請求項１に記載のデンタルフロスピック。
【請求項８】
前記ピック部の尾端は、傾斜カットされていることを特徴とする請求項１に記載のデンタルフロスピック。